【手続補正書】
【提出日】平成17年5月16日(2005.5.16)
【手続補正１】
【補正対象書類名】特許請求の範囲
【補正対象項目名】全文
【補正方法】変更
【補正の内容】
【特許請求の範囲】
【請求項１】
無線通信システムにおける複数の端末へのダウンリンクデータ送信をスケジュールする方法において、
可能なデータ送信のために１以上の端末のセットを形成し、各セットは１以上の端末の組合わせを含んでおり、評価される仮説に対応し、
複数の送信アンテナを各セットの１以上の端末へ割当て、
仮説に対するアンテナ割当てに部分的に基づいて各仮説の性能を評価し、
性能に基づいて１以上の評価された仮説の１つを選択し、
選択された仮説における１以上の端末へのデータ送信をスケジュールするステップを含んでいる方法。
【請求項２】
さらに、各仮説に対して複数のサブ仮説を形成し、各サブ仮説は仮説の１以上の端末への送信アンテナの特定の割当てに対応しており、
各サブ仮説の性能が評価され、評価されたサブ仮説の１つがその性能に基づいて選択されるステップをさらに含んでいる請求項１記載の方法。
【請求項３】
割当ては、
全ての割当てられていない送信アンテナ間の最良の性能を有する送信アンテナと端末対を識別し、
その対の送信アンテナをその対の端末へ割当て、
割当てられた送信アンテナおよび端末を考察の範囲から除外するステップを含んでいる請求項１記載の方法。
【請求項４】
各仮説はその仮説の各端末に対するチャンネル状態情報（ＣＳＩ）に部分的に基づいて評価され、ＣＳＩは送信アンテナと端末との間のチャンネル特性を示している請求項１記載の方法。
【請求項５】
各端末のＣＳＩは送信アンテナから送信された信号に基づいて端末で得られた信号対雑音プラス干渉比（ＳＮＲ）の評価を含んでいる請求項４記載の方法。
【請求項６】
評価される１以上の端末の各セットはそのセット中の１以上の端末により達成されるＳＮＲのそれぞれのマトリックスに関連されている請求項５記載の方法。
【請求項７】
アンテナビームの１以上のセットはＳＮＲの１以上のベクトルを提供するためにスケジュールするために考慮されるように各端末により評価され、１つのベクトルはアンテナビームの各セットに対応している請求項５記載の方法。
【請求項８】
送信アンテナに関連されたＣＳＩに基づいて各送信アンテナに対するコード化および変調方式を決定する請求項４記載の方法。
【請求項９】
各セットの１以上の端末は端末のプールの中から選択される請求項１記載の方法。
【請求項１０】
端末のプールはそれぞれ単一のデータ流の受信を指定されている１以上のＳＩＭＯ端末を含んでいる請求項９記載の方法。
【請求項１１】
選択された仮説は複数のＳＩＭＯ端末を含んでいる請求項９記載の方法。
【請求項１２】
端末のプールはそれぞれ多数の送信アンテナから多数のデータ流を受信するように指定されている１以上のＭＩＭＯ端末を含んでいる請求項８記載の方法。
【請求項１３】
選択された仮説は単一のＭＩＭＯ端末を含んでいる請求項１２記載の方法。
【請求項１４】
各スケジュールされたＭＩＭＯ端末はＭＩＭＯ端末に送信されるデータを回復するために連続的な消去受信機処理を行う請求項１２記載の方法。
【請求項１５】
各セットは類似のリンクマージンを有する端末を含んでいる請求項１記載の方法。
【請求項１６】
評価は、各仮説に対する性能計測値の計算を含んでいる請求項１記載の方法。
【請求項１７】
性能計測値は仮説の各端末により達成可能なスループットの関数である請求項１６記載の方法。
【請求項１８】
最良の性能計測値を有する仮説がスケジューリングのために選択される請求項１６記載の方法。
【請求項１９】
さらに、スケジューリングを考慮される端末に優先順位をつける請求項１記載の方法。
【請求項２０】
複数の送信アンテナはそのセットの端末の優先順位に基づいて各セットの１以上の端末に割当てられる請求項１９記載の方法。
【請求項２１】
そのセットの最高の優先順位の端末は最高のスループットに関連する送信アンテナを割当てられ、そのセットの最低の優先順位の端末は最低のスループットに関連する送信アンテナを割当てられる請求項２０記載の方法。
【請求項２２】
１以上である数値Ｎの最高の優先順位の端末のグループにスケジュールすることを考慮されるべき端末を限定する請求項１９記載の方法。
【請求項２３】
さらに、スケジュールを考慮されるべき各端末の１以上の計測値を維持し、
その端末に対して維持される１以上の計測値に部分的に基づいて各端末の優先順位が決定される請求項１９記載の方法。
【請求項２４】
各端末で維持される１つの計測値は端末により実現される平均スループットレートに関連している請求項２３記載の方法。
【請求項２５】
各端末の優先順位はさらに端末に対して維持され、サービス品質（ＱｏＳ）に関連している１以上のファクタに基づいて決定される請求項１９記載の方法。
【請求項２６】
選択された仮説の１以上の端末は複数の空間的サブチャンネルを含んだチャンネルによるデータ送信をスケジュールされる請求項１記載の方法。
【請求項２７】
選択された仮説の１以上の端末は複数の周波数サブチャンネルを含んだチャンネルによるデータ送信をスケジュールされる請求項１記載の方法。
【請求項２８】
無線通信システムにおける複数の端末へのデータ送信をスケジュールする方法において、
可能なデータ送信のために端末の１以上のセットを形成し、各セットは１以上の端末の特有の組合わせを含んでおり、評価されるべき仮説に対応しており、
各仮説に対して１以上のサブ仮説を形成し、各サブ仮説はその仮説の１以上の端末への複数の送信アンテナの特別な割当てに対応し、
各サブ仮説の性能を評価し、
それらの性能に基づいて複数の評価されたサブ仮説の１つを選択し、
選択されたサブ仮説の１以上の端末へのデータ送信をスケジュールし、
その端末に割当てられた１以上の送信アンテナから選択されたサブ仮説の各スケジュールされた端末へデータを送信するステップを含んでいる方法。
【請求項２９】
評価は、
特定のアンテナ割当てに基づいてサブ仮説の１以上の端末に対するスループットの決定を含んでおり、
最高のスループットを有するサブ仮説が選択される請求項２８記載の方法。
【請求項３０】
端末の１つのセットが形成され、そのセット中の端末が所望するデータ送信の優先順位に基づいて選択される請求項２８記載の方法。
【請求項３１】
多入力多出力（ＭＩＭＯ）通信システムにおいて、
基地局と、
１以上の端末とを具備し、
前記基地局は、
複数の送信アンテナと、
通信システムにおける複数の端末のチャンネル評価を示すチャンネル状態情報（ＣＳＩ）を受信し、少なくとも部分的に受信されたＣＳＩに基づいて、ダウンリンクでのデータ送信のための１以上の端末のセットを選択し、複数の送信アンテナを１以上の選択された端末へ割当てるように構成されているスケジューラと、
複数のデータ流を与えるためにＣＳＩに基づいて、１以上の選択された端末に対してデータを受信し、処理するように構成されている送信データプロセッサと、
複数の送信アンテナから送信するのに適している複数の変調された信号を与えるために複数のデータ流を処理するように構成されている複数の変調器とを具備し、
前記１以上の端末はそれぞれ、
基地局から送信される複数の変調された信号を受信するようにそれぞれ構成されている複数の受信アンテナと、
それぞれの受信された信号を与えるために関連され受信されたアンテナからの信号を処理するようにそれぞれ構成されている複数のフロントエンド装置と、
１以上の復号されたデータ流を与えるために複数のフロントエンド装置からの複数の受信された信号を処理し、さらに複数の変調された信号に対するＣＳＩを得るように構成されている受信プロセッサと、
基地局へ返送するためにＣＳＩを処理するように構成された送信データプロセッサとを具備している多入力多出力通信システム。
【請求項３２】
多入力多出力（ＭＩＭＯ）通信システムの基地局において、
データ送信に対してスケジュールされた１以上の端末へ送信するために複数のデータ流を提供するようにデータを受信して処理するように構成され、データは１以上のスケジュールされた端末に対するチャンネル評価を示すチャンネル状態情報（ＣＳＩ）に基づいて処理される送信データプロセッサと、
複数の変調された信号を与えるために複数のデータ流を処理するように構成されている複数の変調器と、
複数の変調された信号を受取り、それを１以上のスケジュールされた端末へ送信するように構成されている複数の送信アンテナと、
通信システムの複数の端末に対するＣＳＩを受信し、少なくとも部分的に受信されたＯＳＩに基づいて、データ送信のための１以上の端末のセットを選択し、複数の送信アンテナを１以上の選択された端末へ割当てるように構成されているスケジューラとを具備している基地局。
【請求項３３】
各送信アンテナに対するデータ流は送信アンテナに関連するＣＳＩに基づいて送信アンテナに対して選択されたコード化および変調方式に基づいて処理される請求項３２記載の基地局。
【請求項３４】
複数の受信された信号を与えるために複数の送信アンテナにより受信される複数の信号を処理するように構成された複数の復調器と、
通信システムにおける複数の端末に対するＣＳＩを得るために複数の受信された信号をさらに処理するように構成された受信データプロセッサとをさらに含んでいる請求項３２記載の基地局。
【請求項３５】
多入力多出力（ＭＩＭＯ）通信システムの端末において、
基地局から送信された複数の変調された信号を受信するようにそれぞれ構成されている複数の受信アンテナと、
それぞれの受信された信号を与えるために関連され受信されたアンテナからの信号を処理するようにそれぞれ構成されている複数のフロントエンド装置と、
１以上の復号されたデータ流を与えるため複数のフロントエンド装置からの複数の受信された信号を処理し、さらに各復号されたデータ流のチャンネル状態情報（ＣＳＩ）を得るように構成されている受信プロセッサと、
基地局へ返送するためにＣＳＩを処理するように構成された送信データプロセッサとを具備しており、
端末は特定の時間インターバルで基地局からのデータ送信を受信するようにスケジュールされているセットに含まれている１以上の端末の１つであり、データ送信を受信するようにスケジュールされた１以上の端末のセットは各セットの１以上の端末から受信されたＣＳＩに少なくとも部分的に基づいて、１以上の端末のセットの中から選択される多入力多出力（ＭＩＭＯ）通信システムの端末。
【請求項３６】
端末はその端末に割当てられている基地局の１以上の送信アンテナからのデータ送信を受信するようにスケジュールされている請求項３５記載の端末。
【請求項３７】
無線通信システムにおける複数の端末へのデータ送信をスケジュールする装置において、
可能なデータ送信のために１以上の端末のセットを形成する手段を具備し、各セットは１以上の端末の組合わせを含んでおり、評価される仮説に対応し、さらに、
複数の送信アンテナを各セットの１以上の端末へ割当てる手段と、
仮説に対するアンテナ割当てに部分的に基づいて各仮説の性能を評価する手段と、
性能に基づいて１以上の評価された仮説の１つを選択する手段と、
選択された仮説の１以上の端末へのデータ送信をスケジュールする手段とを具備している装置。
【請求項３８】
さらに、各仮説に対して複数のサブ仮説を形成する手段を具備し、各サブ仮説は仮説の１以上の端末への送信アンテナの特定の割当てに対応しており、
各サブ仮説の性能が評価され、評価されたサブ仮説の１つがその性能に基づいて選択される請求項３７記載の装置。
【請求項３９】
割当て手段は、
全ての割当てられていない送信アンテナ間の最良の性能を有する送信アンテナと端末の対を識別する手段と、
その対の送信アンテナをその対の端末へ割当てる手段と、
割当てられた送信アンテナおよび端末を考慮する範囲から除外する手段とを含んでいる請求項３７記載の装置。
【請求項４０】
各仮説はその仮説の各端末に対するチャンネル状態情報（ＣＳＩ）に部分的に基づいて評価され、ＣＳＩは送信アンテナと端末との間のチャンネル特性を示している請求項３７記載の装置。
【請求項４１】
各端末のＣＳＩは送信アンテナから送信された信号に基づいて端末で得られた信号対雑音プラス干渉比（ＳＮＲ）評価を含んでいる請求項４０記載の装置。
【請求項４２】
送信アンテナに関連されたＣＳＩに基づいて各送信アンテナに対するコード化および変調方式を決定する手段を具備している請求項４０記載の装置。
【請求項４３】
評価手段は、各仮説に対する性能計測値の計算手段を含んでいる請求項４２記載の装置。
【請求項４４】
性能計測値は仮説の各端末により達成可能なスループットの関数である請求項４３記載の装置。
【請求項４５】
スケジューリングに対して考慮される端末に優先順位を与える手段を含んでいる請求項３７記載の装置。
【請求項４６】
複数の送信アンテナはそのセットの端末の優先順位に基づいて各セットの１以上の端末に割当てられる請求項４５記載の装置。
【請求項４７】
さらに、スケジュールに対して考慮されるように各端末の１以上の計測値を維持する手段を具備し、
その端末に対して維持される１以上の計測値に部分的に基づいて各端末の優先順位が決定される請求項４５記載の装置。
【請求項４８】
無線通信システムにおける複数の端末へのデータ送信をスケジュールする装置において、
可能なデータ送信のために１以上の端末のセットを形成する手段と、
各仮説に対して１以上のサブ仮説を形成する手段と、
各仮説の性能を評価する手段と、
性能に基づいて複数の評価されたサブ仮説の１つを選択する手段と、
選択されたサブ仮説の１以上の端末へのデータ送信をスケジュールする手段と、
その端末に割当てられた１以上の送信アンテナから選択されたサブ仮説の各スケジュールされた端末へデータを送信する手段とを具備し、
各セットは１以上の端末の特有の組合わせを含んでおり、評価される仮説に対応し、
各サブ仮説は仮説の１以上の端末への送信アンテナの特定の割当てに対応している装置。
【請求項４９】
評価手段は、
特定のアンテナ割当てに基づいてサブ仮説の１以上の端末に対するスループットを決定する手段を含んでおり、最高のスループットを有するサブ仮説が選択される請求項４８記載の装置。
【手続補正２】
【補正対象書類名】明細書
【補正対象項目名】０００３
【補正方法】変更
【補正の内容】
【０００３】
多入力多出力（ＭＩＭＯ）通信システムは多数の独立したデータ流の送信のために多数（ＮT ）の送信アンテナと多数（ＮR ）の受信アンテナを使用する。１つの共通のＭＩＭＯシステム構造では、データ流は任意の所定の時間に単一の端末に送信される。しかしながら、多数のアンテナを有する基地局を具備した多元アクセス通信システムはまた複数の端末と同時に通信する。この場合、基地局は複数のアンテナを使用し、各端末は多数のデータ流の１以上を受信するためＮR のアンテナを使用する。
【手続補正３】
【補正対象書類名】明細書
【補正対象項目名】００２４
【補正方法】変更
【補正の内容】
【００２４】
図１に示されているように、端末は基地局のカバー区域（または“セル”）でランダムに分配され、または同一場所に位置されている。無線通信システムでは、リンク特性は典型的にフェーディングとマルチパスのような多くのファクタにより時間で変化する。時間の特定の瞬間では、単一の端末におけるＮT の送信アンテナとＮR の受信アンテナの基地局のアレイ間のチャンネル応答がマトリックスＨにより特徴付けされ、そのエレメントは以下のように独立したガウスランダム変数で構成されている。  
【数１】
2004535106.tif 000001
【手続補正４】
【補正対象書類名】明細書
【補正対象項目名】００３３
【補正方法】変更
【補正の内容】
【００３３】
端末のセットへの“最適な”送信を決定するため、ＳＮＲまたは幾つかの他の十分な統計は各端末および各空間サブチャンネルに対して与えられる。統計がＳＮＲであるならば。入来する送信インターバルのデータ送信のために評価される端末の各セットでは、この端末セットの“後処理された”ＳＮＲ（以下説明する）の仮説マトリックスΓは以下のように表される。  
【数２】
2004535106.tif 000002
【手続補正５】
【補正対象書類名】明細書
【補正対象項目名】００８４
【補正方法】変更
【補正の内容】
【００８４】
変更された信号はその後、別の送信された信号を回復するために次の反復により処理される。受信された信号からそれぞれ回復された信号による干渉を除去することにより、ＳＮＲは変更された信号に含まれるがまだ回復されていない送信された信号に対して改良する。改良されたＳＮＲは端末およびシステムの性能の改良をもたらす。実際に、ある動作状態下で、最小平均二乗誤差（ＭＭＳＥ）空間等化と組み合わせて、連続的な消去受信機の使用により実現可能な性能はフルＣＳＩ処理に匹敵する。連続的な消去受信機処理技術は2001年５月11日出願の本出願人に譲渡された米国特許出願第09/854,235号明細書（発明の名称“METHOD AND APPARATUS FOR PROCESSING DATA IN A MULTIPLE-INPUT MULTIPLE-OUTPUT (MIMO) COMMUNICATION SYSTEM UTILIZING CHANNEL STATE INFORMATION”）にさらに詳細に説明されており、ここで参考文献とされている。
【手続補正６】
【補正対象書類名】明細書
【補正対象項目名】００９２
【補正方法】変更
【補正の内容】
【００９２】
前述したように、送信アンテナは種々の方式に基づいた割当て方式の送信された端末である。１つのアンテナ割当て方式では、送信されたアンテナは高いシステム性能を実現するために端末の優先順位に基づいて割当てられる。
【手続補正７】
【補正対象書類名】明細書
【補正対象項目名】０１１２
【補正方法】変更
【補正の内容】
【０１１２】
優先順位に基づいた端末のスケジュールはTiedemannの2002年１月１日出願の米国特許出願第6/335,922号明細書（発明の名称“METHOD AND APPARATUS FOR DETERMINING AVAILABLE TRANSMIT POWER IN A WIRELESS COMMUNICATION SYSTEM”）にも記載されている。ダウンリンクのデータ送信のスケジュールは1997年２月11日出願の米国特許出願第08/798,951号明細書（発明の名称“METHOD AND APPARATUS FOR FORWARD LINK RATE SCHEDULING ”）にも記載されている。これらの出願は本発明の出願人に譲渡され、ここで参考文献とされている。
【手続補正８】
【補正対象書類名】明細書
【補正対象項目名】０１１７
【補正方法】変更
【補正の内容】
【０１１７】
第４に、スケジュール方式は類似のリンクマージンを有する端末のセットを考慮するように設計されることができる。端末はそれらのリンクマージン特性にしたがってグループ化される。スケジューラは相互に競合する空間シグナチャを探索するときに同じ“リンクマージン”の端末の組み合わせを考慮する。リンクマージンにしたがったこのグループ化はリンクマージンを無視することにより実現されるスペクトル効率と比較してスケジュール方式のスペクトル効率全体を改良する。さらに、送信のための類似のリンクマージンによる端末のスケジュールにより、ダウンリンクパワー制御はスペクトル再使用全体を改良するため（例えば端末のセット全体で）さらに容易に行われる。これはＳＩＭＯ／ＭＩＭＯにおいてＳＤＭＡと組み合わせたダウンリンクの適応的な再使用スケジュールの組み合わせとして見られる。リンクマージンに基づいたスケジュールはWaltonの20002年12月10日発行で2000年３月30日出願の米国特許第6,493,331号明細書（発明の名称“METHOD AND APPARATUS FOR CONTROLLING TRANSMISSIONS OF A COMMUNICATIONS SYSTEM ”）と、2001年５月３月出願の米国特許出願第09/848,937号明細書（発明の名称“METHOD AND APPARATUS FOR CONTROLLING UPLINK TRANSMISSIONS OF A WIRELESS COMMUNICATION SYSTEM”）にさらに詳細に記載されており、両者とも本発明の出願人に譲渡され、ここで参考文献とされている。
【手続補正９】
【補正対象書類名】明細書
【補正対象項目名】０１１９
【補正方法】変更
【補正の内容】
【０１１９】
符号化、インターリーブ、信号マッピングは種々の方式に基づいて実行されてもよい。幾つかのこのような方式は、前述の米国特許出願第09/854,235号明細書、2001年３月23日出願の米国特許出願第09/826,481号明細書（発明の名称“METHOD AND APPARATUS FOR UTILIZING CHANNEL STATE INFORMATION IN A WIRELESS COMMUNICATION SYSTEM ”）、2001年２月１日出願の米国特許出願第09/776,073号明細書（発明の名称“CODING SCHEME FOR A WIRELESS  COMMUNICATION SYSTEM”）に記載されており、これら全ては本発明の出願人に譲渡され、ここで参考文献とされている。
【手続補正１０】
【補正対象書類名】明細書
【補正対象項目名】０１２２
【補正方法】変更
【補正の内容】
【０１２２】
各スケジュールされた端末106 では、複数の受信アンテナ552 は送信された信号を受信し、各受信アンテナは受信された信号をそれぞれの復調器（ＤＥＭＯＤ）554 に与える。各復調器（またはフロントエンド装置）554 は変調器522 で行われる処理と相補的な処理を実行する。全ての復調器554 からの変調シンボルはその後、受信（ＲＸ）ＭＩＭＯ／データプロセッサ556 へ与えられ、端末で送信された１以上のデータ流を回復するように処理される。ＲＸ  ＭＩＭＯ／データプロセッサ556 はＴＸデータプロセッサ514 とＴＸ  ＭＩＭＯプロセッサ520 により実行される処理に対して相補的な処理を実行し、復号されたデータをデータシンク560 へ与える。端末106 による処理は前述の米国特許出願第09/854,235号明細書と米国特許出願第09/776,073号明細書でさらに詳細に説明されている。
【手続補正１１】
【補正対象書類名】明細書
【補正対象項目名】０１２３
【補正方法】変更
【補正の内容】
【０１２３】
各アクチブ端末106 で、ＲＸ  ＭＩＭＯ／データプロセッサ556 はさらにリンク状態を評価し、ＣＳＩ（例えば後処理されたＳＮＲまたはチャンネル利得評価）を与える。ＴＸデータプロセッサ562 はその後、ＣＳＩを受信し処理し、ＣＳＩを示す処理されたデータを１以上の変調器554 に与える。変調器554 はさらに処理されたデータを調整し、逆方向チャンネルを介してＣＳＩを基地局104 へ返送する。前述の米国特許出願第09/816,481号明細書に記載されているように、ＣＳＩは（例えばフルに、異なってまたは組合わせて）種々のシグナリング技術を使用して端末により報告される。
【手続補正１２】
【補正対象書類名】明細書
【補正対象項目名】０１３３
【補正方法】変更
【補正の内容】
【０１３３】
ＯＦＤＭを構成する送信機設計は前述の米国特許出願第09/854,235号、第08/816,481号、第09/776,073号、第09/532,492号明細書で記載されている。
【手続補正１３】
【補正対象書類名】明細書
【補正対象項目名】０１４１
【補正方法】変更
【補正の内容】
【０１４１】
空間／空間−時間プロセッサ810 は非分散性のＭＩＭＯチャンネル（即ち平坦フェーディングを有する）に対するＮR の受信された信号の線形の空間処理、または分散性のＭＩＭＯチャンネル（即ち周波数選択フェーディングを有する）に対するＮR の受信された信号の空間−時間処理を行う。空間処理はチャンネル相関マトリックス反転（ＣＣＭＩ）技術、最小平均二乗誤差（ＭＭＳＥ）技術、その他等の線形の空間処理技術を使用して実現される。これらの技術は他の信号からの雑音または干渉が存在する場合に、不所望の信号をゼロにするかまたは各構成信号の受信されたＳＮＲを最大にするために使用される。空間−時間処理はＭＭＳＥ線形等化装置（ＭＭＳＥ−ＬＥ）、決定フィードバック等化装置（ＤＦＥ）、最大の尤度シーケンス評価装置（ＭＬＳＥ）およびその他等の線形の空間−時間処理技術を使用して実現される。ＣＣＭＩ、ＭＭＳＥ、ＭＭＳＥ−ＬＥ、ＤＦＥ技術は前述の米国特許出願第09/854,235号明細書にさらに詳細に記載されている。ＤＦＥとＭＬＳＥ技術は文献（S. L. Ariyavistaku、“Optimum Space-Time Processors with Dispersive Interference: Unified Analysis and Required Filter Span ”、IEEE Trans. on Communication、７巻、No.7、1999年７月）にもさらに詳細に記載され、これはここで参考文献とされている。
【手続補正１４】
【補正対象書類名】明細書
【補正対象項目名】０１４５
【補正方法】変更
【補正の内容】
【０１４５】
図８のＢは干渉消去装置730Xのブロック図であり、これは図７の干渉消去装置730 の１実施形態である。干渉消去装置730X内で、同一の段内のチャンネルＭＩＭＯ／データプロセッサ720 からの復号されたデータ流は、再変調されたシンボルを与えるためチャンネルデータプロセッサ610Xにより再度符号化され、インターリーブされ、再変調され、再変調されたシンボルはＭＩＭＯ処理およびチャンネルの歪み前の基地局の変調シンボルの評価である。チャンネルデータプロセッサ610Xはデータ流について基地局で行われるのと同じ処理（例えば符号化、インターリーブ、変調）を行う。再変調されたシンボルはその後チャンネルシミュレータ830 に与えられ、これは復号されたデータ流による干渉の評価値＾ｉk を与えるため評価されたチャンネル応答を有するシンボルを処理する。チャンネル応答評価は基地局により送信されるパイロットおよび／またはデータに基づいておよび前述の米国特許出願第09/854,235号明細書で記載されている技術にしたがって得られる。
【手続補正１５】
【補正対象書類名】明細書
【補正対象項目名】０１４７
【補正方法】変更
【補正の内容】
【０１４７】
連続的な消去受信機処理の種々の特徴は前述の米国特許出願第09/854,235号明細書にさらに詳細に記載されている。
【手続補正１６】
【補正対象書類名】明細書
【補正対象項目名】０１４８
【補正方法】変更
【補正の内容】
【０１４８】
連続的な消去受信機処理技術を使用しない受信機設計も送信されたデータ流を受信、処理、回復するために使用される。幾つかのこのような受信機設計は前述の米国特許出願第09/776,073号、第09/816,481号、および2000年３月22日出願の第09/532,492号明細書（発明の名称“HIGH EFFICIENCY, HIGH PERFORMANCE COMMUNICATIONS SYSTEM EMPLOYING MULTI-CARRIER MODULATION”）に記載されており、これは本発明の出願人に譲渡され、ここで参考文献とされている。
【手続補正１７】
【補正対象書類名】明細書
【補正対象項目名】０１６３
【補正方法】変更
【補正の内容】
【０１６３】
ＣＳＩと種々のＣＳＩ報告機構の種々のタイプの情報はこれは本発明の出願人に譲渡されているPadovaniの2003年６月３日出願の米国特許第6,574,211号明細書（発明の名称“METHOD AND APPARATUS FOR HIGH RATE PACKET DATA TRANSMISSION ”）と、“TIE/EIA/IS-856 cdma2000 High Rate Packet Data Air Interface Specification ”にも記載されており、両者ともここで参考文献とされている。